【手続補正書】
【提出日】平成15年8月25日(2003.8.25)
【手続補正１】
【補正対象書類名】明細書
【補正対象項目名】特許請求の範囲
【補正方法】変更
【補正の内容】
【特許請求の範囲】
【請求項１】
反射体表面に多数の凹部が形成され、前記凹部の内面が、各々半径の異なる２つの球面の一部である周縁曲面と周縁曲面に囲まれた位置に存する底曲面とを連続させた面からなり、周縁曲面を形成する球面の半径が、底曲面を形成する球面の半径より小さいと共に、各々の球面の中心から反射体表面に立てた法線が、互いに異なる直線上に存することを特徴とする反射体。
【請求項２】
反射体表面に多数の凹部が形成され、前記凹部の内面が主の第１曲面部と、前記第１曲面部内に形成された第２曲面部からなり、前記第２曲面部の曲率中心が、前記第１曲面部の曲率中心と異なると共に、前記第２曲面部の位置に応じて、外光の反射光の最大輝方向が設定されてなることを特徴とする反射体。
【請求項３】
前記各々の球面の中心から反射体表面に立てた法線が、０．１〜１０μｍの範囲の間隔をもって離間していることを特徴とする請求項１に記載の反射体。
【請求項４】
前記周縁曲面の傾斜角が１０〜３５度及び−３５〜−１０度の範囲で、前記底曲面の傾斜角が４〜１７度及び−１７〜−４度の範囲で、各々設定されたことを特徴とする請求項１または請求項２に記載の反射体。
【請求項５】
前記多数の凹部の深さが０．１ないし３μｍの範囲でランダムに形成されたことを特徴とする請求項１から請求項３のいずれかに記載の反射体。
【請求項６】
前記多数の凹部が互いに連続して形成されたことを特徴とする請求項１から請求項４のいずれかに記載の反射体。
【請求項７】
前記多数の凹部が多数の溝と共に反射体表面に形成されたことを特徴とする請求項１から請求項４のいずれかに記載の反射体。
【請求項８】
請求項１から請求項６のいずれかに記載の反射体を備えたことを特徴とする反射型液晶表示装置。
【手続補正２】
【補正対象書類名】明細書
【補正対象項目名】００１４
【補正方法】変更
【補正の内容】
【００１４】
【課題を解決するための手段】
上記の課題を解決するために、本発明は、反射体表面に多数の凹部が形成され、前記凹部の内面が、各々半径の異なる２つの球面の一部である周縁曲面と周縁曲面に囲まれた位置に存する底曲面とを連続させた面からなり、周縁曲面を形成する球面の半径が、底曲面を形成する球面の半径より小さいと共に、各々の球面の中心から反射体表面に立てた法線が、互いに異なる直線上に存することを特徴とする反射体を提供する。
また、本発明は、反射体表面に多数の凹部が形成され、前記凹部の内面が主の第１曲面部と、前記第１曲面部内に形成された第２曲面部からなり、前記第２曲面部の曲率中心が、前記第１曲面部の曲率中心と異なると共に、前記第２曲面部の位置に応じて、外光の反射光の最大輝方向が設定されてなることを特徴とする反射体を提供する。
【手続補正３】
【補正対象書類名】明細書
【補正対象項目名】００１５
【補正方法】変更
【補正の内容】
【００１５】
本反射体によれば、周縁曲面（第１曲面部）を形成する球面の半径が小さく広範囲の傾斜角が得られるため、充分な広さの視野角が得られる。また、凹部の中心部から若干ずれた位置に存在する底曲面（第２曲面部）が平面に近い曲線となるため、凹部の内面において特定の傾斜角の分布が高くなり、その結果、入射角度より大きい又は小さい方向の反射角度における反射率が最も高くなり、その方向をピークとしてその近傍の反射率も高くなる。即ち、底曲面（第２曲面部）の位置に応じて反射光の最大輝方向が設定される。
【手続補正４】
【補正対象書類名】明細書
【補正対象項目名】００１６
【補正方法】変更
【補正の内容】
【００１６】
この場合、本発明の如く、各々の球面の中心から反射体表面に立てた法線が、０．１〜１０μｍの範囲の間隔をもって離間していることが望ましい。これは、０．１μｍより小さいと適度な指向性が出せなくなり、１０μｍより大きいと正反射の反射強度が著しく小さくなるためである。なお、各法線からの離間距離が大きいほど、入射角度と反射率が最も高くなる反射角度との差は大きくなる。


【手続補正５】
【補正対象書類名】明細書
【補正対象項目名】００１７
【補正方法】変更
【補正の内容】
【００１７】
また、各凹部の内面の傾斜角は、本発明の如く、周縁曲面については、１０〜３５度及び−３５〜−１０度の範囲で、底曲面については、４〜１７度及び−１７〜−４度の範囲とすることが望ましい。これは、周縁曲面の傾斜角が１０〜３５度及び−３５〜−１０度の範囲を超えると反射光の傾斜角が広がりすぎて反射強度が低下し、底曲面の傾斜角が４〜１７度及び−１７〜−４度の範囲を超えると、ある特定方向の反射率が充分高くならないためである。


【手続補正６】
【補正対象書類名】明細書
【補正対象項目名】００１８
【補正方法】変更
【補正の内容】
【００１８】
また、各凹部の深さは、本発明の如く０．１ないし３μｍの範囲でランダムに形成することが望ましい。これは、０．１μｍより小さいと、正反射が強くなり過ぎ、３μｍを越えると、後行程で凹部を平坦化するときに凸部の表面が平坦化膜で埋めきれず、所望の反射特性が得られなくなるからである。また、深さをランダムにせず、一定の深さの凹部のみとすると、規則性が生じて光の干渉色が出て反射光が色付いてしまうという不具合があるからである。


【手続補正７】
【補正対象書類名】明細書
【補正対象項目名】００２０
【補正方法】変更
【補正の内容】
【００２０】
各凹部の配置については、互いに離間させてもよいが、本発明の如く互いに連続して形成する事が望ましい。これにより、反射体表面全面に凹部を効率よく配置することができるので、凹部によって適度な指向性を保ちながら視野角を広げるという効果が最大限に発揮できる。


【手続補正８】
【補正対象書類名】明細書
【補正対象項目名】００２１
【補正方法】変更
【補正の内容】
【００２１】
また、他の配置としては本発明の如く、多数の凹部を多数の溝と共に反射体表面に形成することもできる。これにより、凹部による上記効果に加えて、溝によって、溝に垂直な方向の視野角を広げるという効果を併せ持つことができる。この場合、溝は、直線上でも曲線状でもよく、また、互いに任意の角度で交差しても差し支えない。また、凹部と溝は、互いの効果が失われない範囲の密度で各々形成するものとする。


【手続補正９】
【補正対象書類名】明細書
【補正対象項目名】００２２
【補正方法】変更
【補正の内容】
【００２２】
また、本発明として、先のいずれかに記載の反射体を備えたことを特徴とする反射型液晶表示装置を提供する。なお、反射体の設置形態としては、液晶セルの外側に設置する外付け型、あるいは液晶セルを構成する基板の内面に設置する内蔵型のいずれのタイプとしてもよい。


【手続補正１０】
【補正対象書類名】明細書
【補正対象項目名】００２５
【補正方法】変更
【補正の内容】
【００２５】
図２（ａ）は、凹部４の断面図、図２（ｂ）は平面図である。この図に示すように、各凹部４の内面は、周縁曲面（第１曲面部）４ａと、周縁曲面４ａに囲まれた位置にある底曲面（第２曲面部）４ｂとから形成されている。周縁曲面４ａは、中心をＯ1として半径がＲ1である球面の一部である。また、底曲面４ｂは、中心をＯ2として半径がＲ2である球面の一部である。各々の球面の中心であるＯ1とＯ2とから、反射体１の表面に立てた法線は、各々別個の直線Ｌ1、Ｌ2上に位置する。


【手続補正１１】
【補正対象書類名】明細書
【補正対象項目名】００３７
【補正方法】変更
【補正の内容】
【００３７】
図５のαは、本実施の形態の反射体１について、入射角度３０度（図２における右側の方向からの入射）において、縦軸を反射率（反射強度）、横軸を反射角度とした反射特性曲線を示すグラフである。このように、本実施の形態の反射体１においては、凹部４の内面に、半径の小さい球面の一部からなる周縁曲面（第１曲面部）４ａが存在し、比較的絶対値の大きい傾斜角の範囲を与えるので、１５゜≦ω≦４５゜という広い範囲で良好な反射率を有している。また、半径の大きい球面の一部からなる底曲面（第２曲面部）４ｂ、すなわち平坦面に近い曲面が偏在するので、特定の範囲の傾斜角を与える内面の割合が高くなる。その結果、入射角度である３０度と対象な方向の反射角度３０度よりも、小さい反射角度における反射率が最も高くなり、その方向をピークとしてその近傍の反射率も高くなっている。従来技術に係る反射体５１と比較すると、反射角度２０度における反射率は、１０％以上高くなっている。即ち、底曲面（第２曲面部）の位置に応じて外光の反射光の最大輝方向が設定される。
【手続補正１２】
【補正対象書類名】明細書
【補正対象項目名】符号の説明
【補正方法】変更
【補正の内容】
【符号の説明】
１ 反射体
２ 基板
３ 樹脂基材（反射体用基材）
４ 凹部
４ａ 周縁曲面（第１曲面部）
４ｂ 底曲面（第２曲面部）
５ 反射膜
７ 母型基材
８ ダイヤモンド圧子
９ 反射体形成用母型
１２ 転写型